(57)【要約】      （修正有）【課題】映像データ採集可能な自発光手動火災警報押ボタンを提供する。【解決手段】手動火災警報押ボタン１０は、箱体１１と、箱体１１の前面に設置されている押し片１２と、火災指示ランプ１３と、電源指示ランプ１４と、映像採取器３１と、夜間又は暗い環境において自発光する自発光体５０とを備え、前記押し片１２が押された場合、前記映像採取器３１で撮像された映像は、火災警報制御メインユニット内に設置された映像監視記録装置により記憶・記録され、火災の原因及び事故調査に役立てる。【選択図】図２
2014203451.tif 000002
【特許請求の範囲】
【請求項１】
手動火災警報押ボタン（１０）を備え、当該手動火災警報押ボタン（１０）は、消防制御室に設置されている火災警報制御メインユニット（２０）に接続され、前記火災警報制御メインユニット（２０）には、映像監視記録装置（３０）が設置され、前記手動火災警報押ボタン（１０）には、前記映像監視記録装置（３０）に接続されている映像採集器（３１）及び連動スイッチ（４０）が設置され、前記手動火災警報押ボタン（１０）の外表面には、自発光体（５０）が設置され、前記連動スイッチ（４０）は、それぞれ前記手動火災警報押ボタン（１０）及び映像監視記録装置（３０）に接続され、手動火災警報押ボタン（１０）は、連動スイッチ（４０）により映像監視記録装置（３０）の起動を制御し、手動火災警報押ボタン（１０）が押された場合、連動スイッチ（４０）により映像監視記録装置（３０）を起動し、映像採集器（３１）により手動火災警報押ボタン（１０）が操作されている映像データを採集することを特徴とする映像データ採集可能な自発光手動火災警報押ボタン。
【請求項２】
前記映像採集器（３１）は、手動火災警報押ボタン（１０）の前面に設置されているマイクロビデオカメラであることを特徴とする請求項１に記載の映像データ採集可能な自発光手動火災警報押ボタン。
【請求項３】
前記連動スイッチ（４０）は、手動火災警報押ボタン（１０）の出力接点に接続され、且つ映像監視記録装置（３０）の電源スイッチに接続される常開継電器であることを特徴とする請求項１に記載の映像データ採集可能な自発光手動火災警報押ボタン。
【請求項４】
前記映像監視記録装置（３０）には、手動火災警報押ボタン（１０）と同じアドレスコードが設定されていることを特徴とする請求項１に記載の映像データ採集可能な自発光手動火災警報押ボタン。
【請求項５】
前記自発光体（５０）は、自発光材料により作られたブロック状体、薄板状体、自発光塗料、自発光ペイント又は自発光印刷インクであることを特徴とする請求項１に記載の映像データ採集可能な自発光手動火災警報押ボタン。
【請求項６】
前記ブロック状の自発光体（５０）は、手動火災警報押ボタン（１０）の箱体の外表面に嵌め込まれていることを特徴とする請求項５に記載の映像データ採集可能な自発光手動火災警報押ボタン。
【請求項７】
前記片状自発光体は、手動火災警報押ボタン（１０）の箱体の外表面に貼り付けられていることを特徴とする請求項５に記載の映像データ採集可能な自発光手動火災警報押ボタン。
【請求項８】
前記自発光塗料、自発光ペイント又は自発光印刷インクは、手動火災警報押ボタン（１０）の箱体の外表面に塗布されていることを特徴とする請求項５に記載の映像データ採集可能な自発光手動火災警報押ボタン。
【請求項９】
前記自発光材料は、アルカリ土類アルミン酸材料により作られた蓄光型自発光材料であることを特徴とする請求項５に記載の映像データ採集可能な自発光手動火災警報押ボタン。
【請求項１０】
前記自発光材料は、蓄光自発光粉、蓄光自発光膜又は蓄光自発光ブロックであることを特徴とする請求項９に記載の映像データ採集可能な自発光手動火災警報押ボタン。
【発明の詳細な説明】
【技術分野】
【０００１】
本発明は、消防設備に関し、具体的には、夜間において観察及び操作がしやすく、映像データ採集可能な自発光手動火災警報押ボタンに関する。
【背景技術】
【０００２】
現在、工業化、都市化の進展が日増しに加速するのに伴い、大都市で高層ビルが林立し、人口が密集し、都市の負担が日増しに重くなっている。急増する人口及び工業の発達により、電力消費が大幅に増加しているが、電気使用設備の経年劣化、人々の安全意識の希薄化、安全防護措置の不十分さ、人為的な要因及びテロ襲撃等は、ともに都市の建物火災が起こる潜在的な脅威となっている。火災発生時、最も重要なのは、火災の初期段階で火災を発見して迅速に火災警報信号を発することができるか否かである。したがって、公の場所及び建物の通路、廊下内には、手動で押して火災の状況を知らせる手動火災警報押ボタンを設置することが求められている。手動火災警報押ボタンによる警報の条件は、人工で押ボタンを押して警報をしなければならないので、通常、手動火災警報押ボタンが押された場合、火災が既に発生したことを意味し、知らせられる火災の発生率が火災検知器より高く、誤報が生じる可能性が殆どない。手動警報押ボタンが３〜５秒押されると、手動警報押ボタンの火災警報ランプが点灯し、火災警報制御器が既に火災信号を受信し、且つアドレスコードにより現場位置を確認したことを示す。しかしながら、周知のように、従来の手動火災警報押ボタンは、基本的な手動火災警報機能のみを有し、映像機能を有していないので、誰が手動火災警報押ボタンを押したかを確認することができず、故に火災の原因及び事故責任を速やかに分析・精査することができない。一方、手動火災警報押ボタンのサイズが比較的小さくて、且つ発光しないので、夜間または光線が比較的暗いときに見えにくく、素早く見つけて操作することがしにくい。
【発明の概要】
【発明が解決しようとする課題】
【０００３】
本発明は、上述した課題を解決するために、火災警報信号を迅速に発するとともに、映像監視記録装置を起動し、火災の原因及び事故調査を精査することに有利であり、且つ夜間において観察及び操作に便利で映像データ採集可能な自発光手動火災警報押ボタンを提供する。
【課題を解決するための手段】
【０００４】
上述した目的を実現するために、本発明は、映像データ採集可能な自発光手動火災警報押ボタンを提供する。手動火災警報押ボタンを備え、当該手動火災警報押ボタンは、消防制御室に設置されている火災警報制御メインユニットに接続され、前記火災警報制御メインユニットには、映像監視記録装置が設置され、前記手動火災警報押ボタンには、前記映像監視記録装置に接続されている映像採集器及び連動スイッチが設置され、前記手動火災警報押ボタンの外表面には、自発光体が設置され、前記連動スイッチは、前記手動火災警報押ボタン及び映像監視記録装置に接続され、手動火災警報押ボタンは、連動スイッチにより映像監視記録装置の起動を制御し、手動火災警報押ボタンが押された場合、連動スイッチにより映像監視記録装置を起動し、映像採集器により手動火災警報押ボタンの操作映像データを採集する。
【０００５】
映像採集器は、手動火災警報押ボタンの前面に設置されているマイクロビデオカメラであることが好ましい。
【０００６】
連動スイッチは、手動火災警報押ボタンの出力接点に接続され、且つ映像監視記録装置の電源スイッチに接続される常開継電器であることが好ましい。
【０００７】
映像監視記録装置には、手動火災警報押ボタンと同じアドレスコードが設定されていることが好ましい。
【０００８】
前記自発光体は、自発光材料により作られたブロック状体、薄板状体、自発光塗料、自発光ペイント又は自発光印刷インクであることが好ましい。
【０００９】
ブロック状の自発光体は、手動火災警報押ボタンの箱体の外表面に嵌め込まれていることが好ましい。
【００１０】
片状の自発光体は、手動火災警報押ボタンの箱体の外表面に貼り付けられていることが好ましい。
【００１１】
自発光塗料、自発光ペイント又は自発光印刷インクは、手動火災警報押ボタンの箱体の外表面に塗布されていることが好ましい。
【００１２】
前記自発光材料は、アルカリ土類アルミン酸材料により作られた蓄光型自発光材料であることが好ましい。
【００１３】
前記自発光材料は、蓄光自発光粉、蓄光自発光膜又は蓄光自発光ブロックであることが好ましい。
【発明の効果】
【００１４】
本発明は、新たな消防設備を提供する。手動火災警報押ボタンには、映像採集器が設置され、当該映像採集器は、連動スイッチと連動するので、火災発生し手動火災警報押ボタンが押されたとき、映像採集器が同時に起動されて手動火災警報押ボタンが操作されている映像を撮影するので、火災警報制御メインユニットは、火災警報信号を受信しただけではなく、同時に、手動火災警報押ボタが操作されている映像信号を観察して記録することができ、故に火災発生後の火災の原因及び事故責任を迅速に分析・精査することができる。手動火災警報押ボタンには、自発光体が設置されているので、夜間又は光線が比較的暗いときでも見つかりやすく、火災警報信号を迅速にタイムリーに発し、且つ電気エネルギーを消費する必要がない。本発明には、簡単な構成を有し、実施しやすい等のメリットもある。
【図面の簡単な説明】
【００１５】
【図１】図１は、本発明の構成全体のブロック図である。
【図２】図２は、本発明の構成模式図である。
【発明を実施するための形態】
【００１６】
以下の実施例は、本発明に対して更に解釈及び説明をするものであり、本発明は、これらの実施例に限られるものではない。
【００１７】
図１に示すように、本発明の映像データ採集可能な自発光手動火災警報押ボタンは、手動火災警報押ボタン１０と、火災警報制御メインユニット２０と、映像監視記録装置３０と、映像採集器３１と、連動スイッチ４０と、自発光体５０とを備える。
【００１８】
図１において、前記火災警報制御メインユニット２０は、いかなる周知の火災警報制御メインユニットであってもよく、建物の消防制御室内に設置され、手動火災警報押ボタン１０により送信された火災警報信号を受信し、着火場所を指示し、関連情報を記録し、火災警報装置を起動し、自動消防消火制御装置により自動消火設備及び消防連動制御設備を起動する。同時に、火災警報制御メインユニットは、手動火災警報押ボタン１０にＤＣ２４Ｖの直流を供給することができる。
【００１９】
図１に示すように、火災警報制御メインユニット２０には、映像監視記録装置３０が設置されており、当該映像監視記録装置３０は、表示記録装置と、信号伝送回路とを備え、前記表示記録装置は、安全防備現場に対する前端設備に設置されている制御装置と、前端設備により伝送されてきた映像信号及び警報信号等に対して記憶・処理・表示・伝送を行う設備とを備える。前記前端設備の制御装置と映像信号を処理・表示・伝送を行う設備は、いずれも周知の映像制御及び処理装置であってもよい。前記信号伝送システムは、有線伝送方式、無線伝送方式、マイクロ波伝送方式、光ファイバー伝送方式、電話線伝送方式等の様々な伝送方式であってもよく、手動火災警報押ボタン１０の火災警報信号及び映像監視記録装置３０の前端設備の映像採集信号の伝送及び前端設備への制御信号の伝送等に用いられる。
【００２０】
図２に示すように、前記手動火災警報押ボタン１０は、いかなる周知の手動火災警報押ボタンであってもよく、箱体１１と、箱体１１の前面に設置されている押し片１２と、火災指示ランプ１３と、電源指示ランプ１４とを備え、当該手動火災警報押ボタン１０は、公の場所及び建物の各フロアの通路内に設置されてもよく、手動警報押ボタン１０は、他の手動火災警報押ボタンと区別するための１つの識別用アドレスコードを有する。手動警報押ボタン１０には、受動常開出力端子が設置され、無極性２バス配線端子により制御バスと接続されている。警報押ボタンが押された場合、手動火災警報押ボタンの常開出力接点が閉合になり、警報信号を出力する。当該手動火災警報押ボタン１０は、制御バスにより消防制御室に設置されている火災警報制御メインユニット２０に接続されている。
【００２１】
図２に示すように、夜間において手動火災警報押ボタン１０の位置をはっきりと表示し、照明のないまたは暗い環境でも手動火災警報押ボタン１０を素早く見つけて操作するために、手動火災警報押ボタンの箱体１１の外表面には、自発光体５０が設置され、当該自発光体５０は、自発光材料により作られたブロック状体又は薄板状体であってもよく、自発光塗料、自発光ペイント又は自発光印刷インクであってもよい。そのうち、前記ブロック状の自発光体５０は、手動火災警報押ボタン１０の箱体１１の外表面に嵌め込まれている。前記片状の自発光体は、手動火災警報押ボタン１０の箱体１１の外表面に貼り付けられ、前記自発光塗料、自発光ペイント又は自発光印刷インクは、手動火災警報押ボタン１０の箱体１１の外表面に塗布されている。本実施例においては、自発光体５０は、自発光材料により作られた膜であり、自発光膜は、粘着剤により手動火災警報押ボタン１０の箱体１１の外表面に貼り付けられている。他の実施例においては、前記自発光材料は、アルカリ土類アルミン酸材料により作られた蓄光型自発光材料であり、蓄光自発光粉、蓄光自発光膜又は蓄光自発光ブロックであってもよい。本実施例においては、自発光材料は、蓄光自発光膜であり、昼間において自然光又は照明の光線を吸収して蓄え、夜間又は暗い環境において自発光するので、ランプによる導く作用がある。
【００２２】
図２に示すように、前記手動火災警報押ボタン１０には、映像監視記録装置３０の前端設備である映像採集器３１が設置され、当該映像採取器３１はマイクロビデオカメラであり、手動火災警報押ボタン１０の前側の中部に取り付けられ、制御バスにより前記映像監視記録装置３０に接続されている。映像採集器３１は、手動火災警報押ボタン１０と同じアドレスコードを１つ有する。手動火災警報押ボタン１０には、前記映像監視記録装置３０に対して連動制御を行う連動スイッチ４０がさらに設置されている。本実施例においては、当該連動スイッチ１０は常開継電器であり、その接点が通電状態ではないときは常開であり、当該常開継電器は通常の方法により手動火災警報押ボタンの出力接点及び映像監視記録装置３０の電源スイッチに接続されているので、手動火災警報押ボタンの押し片１２が押された場合、連動スイッチ４０の常開接点が通電されて閉合になるとともに、映像監視記録装置３０を連動起動する。ハードディスク等の映像監視記録装置３０の記憶装置は、映像採集器３１から伝送された映像データを記憶する。
【００２３】
手動火災警報押ボタン１０が押された場合、火災警報信号が火災警報制御メインユニット２０に伝送され、手動警報押ボタンが３〜５秒押されると、手動警報押ボタンの赤い火災警報確認ランプが点灯し、火災警報制御メインユニットが既に火災信号を受信し、且つアドレスコードにより現場位置を確認したことを示す。手動火災警報押ボタンが押されたと同時に、連動スイッチ４０は、映像監視記録装置３０を起動し、映像採集器３１により手動警報押ボタンが押された人及び時間等を含む手動火災警報押ボタンが押されている映像データを撮影し、映像データは、映像監視記録装置３０の記憶装置により記憶・記録される。
【００２４】
上述した内容は、本発明の実施例であり、本発明は、これらの実施例に限られるものではない。本発明の主旨から逸脱しない限り、様々な変形や取り替えは、全て本発明の請求の範囲内に含まれる。
【図１】
2014203451.tif 000003
【図２】
2014203451.tif 000004